(57)【要約】    【課題】  ボタンにおける意匠性を高めること。    【解決手段】  車両のアウトサイドハンドル２０の内部に保持されるスイッチ本体１１と、アウトサイドハンドル２０の開口２５に設けられ、スイッチ本体１１を作動させるべくスイッチ本体１１に連係される操作ボタン１２とを備えるドアスイッチ１０において、操作ボタン１２は、外側面１３ｄが開口２５に設けられると共に内側面１３ｅがスイッチ本体１１に連係される基部１３と、基部１３の外側面１３ｄに被せられると共に開口２５を介してアウトサイドハンドルの外部２６に面する装飾プレート１４とを備える構成としたこと。【選択図】  図４
2006100013.tif 000002
【特許請求の範囲】
【請求項１】
車両の外装部材の内部に保持されるスイッチ本体と、
前記外装部材の開口に設けられ、前記スイッチ本体を作動させるべく該スイッチ本体に連係されるボタンと
を備える車両用スイッチにおいて、
前記ボタンは、
一側が前記開口に設けられると共に他側が前記スイッチ本体に連係される基部と、
該基部の一側に被せられると共に前記開口を介して外装部材の外部に面する装飾部材と
を備えることを特徴とする車両用スイッチ。
【請求項２】
前記基部は弾性体から成り、
前記基部に設けられる嵌合孔と、前記装飾部材に設けられる突出部とを備え、
該突出部が前記嵌合孔に圧入により嵌合されることを特徴とする請求項１に記載の車両用スイッチ。
【請求項３】
前記嵌合孔は貫通孔であることを特徴とする請求項２に記載の車両用スイッチ。
【請求項４】
前記基部は、前記開口に圧入により嵌合されることを特徴とする請求項３に記載の車両用スイッチ。
【発明の詳細な説明】
【技術分野】
【０００１】
本発明は、車両用スイッチに関し、特に、車両の外装部材に設けられる押しボタン式のスイッチに関するものである。
【背景技術】
【０００２】
車両の外装部材に設けられるスイッチとして、後述の特許文献１に記載のものが公知となっている。
【０００３】
図６に示す様に、車両のドアパネル１に取り付けられたドアハンドル２には、スイッチ６が設けられている。ドアハンドル２は、スマートエントリーシステムを構築する一部品で、車両のユーザのドア解錠及び施錠意思の確認を可能としたものである。
【０００４】
ドアハンドル２は、車両の前後方向（図６示左右方向）に延びる樹脂製のハンドル本体３と、ハンドル本体３の車室外側（図６示上側）に被せられる樹脂製のカバー４とから成る。ハンドル本体３には、車室外側に開いた略Ｕ字状の横断面形状を有する把持部３ａが設けられている。
【０００５】
この把持部３ａには、ユーザの解錠意思を確認するための電子部品５（センサ等）に加え、ユーザの施錠意思を確認するためのスイッチ６が配設されている。
【０００６】
押しボタン式のスイッチ６は、把持部３ａに固定されるホルダ６ａと、ホルダ６ａに保持されるスイッチ本体６ｂと、スイッチ本体６ｂに接触してホルダ６ａに取り付けられるエラストマー製のボタン６ｃとから成る。ボタン６ｃは、カバー４に設けられた開口（図示なし）を介して、ドアハンドル２の外部に面している。
【０００７】
ユーザによりボタン６ｃが押されると、このボタン６ｃに接触するスイッチ本体６ｂが作動する。これにより、ユーザの施錠意思の確認が成される構造となっている。
【特許文献１】特開２００３−２２１９４９号公報（図２参照）
【発明の開示】
【発明が解決しようとする課題】
【０００８】
ところで、上述したスイッチ６において、エラストマー製のボタン６ｃは、ドアハンドル２の外部に面するように配置されている。つまり、ボタン６ｃは、ドアハンドル２の外観意匠の一部を成している。
【０００９】
この場合、ボタン６ｃは、その使用環境における耐候性や、複数回の押下に対する信頼性等の自動車用部品としての必須条件を、第一に満たさなければならない。
【００１０】
つまり、ボタン６ｃにおいては、これらの条件を優先させる必要があることから、ドアハンドル２の外観意匠の一部を成す部材であるにもかかわらず、その装飾（着色等）に関して制約があった。
【００１１】
昨今の車両では、統一感のあるデザインがその細部に至るまで施されるようになってきており、上述の様なドアハンドル２に設けられるスイッチ６のボタン６ｃに関しても、意匠性を有する構造が求められていた。
【００１２】
よって、本発明は上記の問題点に鑑みてなされたものであり、ボタンにおける意匠性を高めることを課題とする。
【課題を解決するための手段】
【００１３】
上記課題を解決するために、本発明にて講じた技術的手段は、請求項１に記載の様に、車両の外装部材の内部に保持されるスイッチ本体と、前記外装部材の開口に設けられ、前記スイッチ本体を作動させるべく該スイッチ本体に連係されるボタンとを備える車両用スイッチにおいて、前記ボタンは、一側が前記開口に設けられると共に他側が前記スイッチ本体に連係される基部と、該基部の一側に被せられると共に前記開口を介して外装部材の外部に面する装飾部材とを備える構成としたことである。
【００１４】
好ましくは、請求項２に記載の様に、前記基部は弾性体から成り、前記基部に設けられる嵌合孔と、前記装飾部材に設けられる突出部とを備え、該突出部が前記嵌合孔に圧入により嵌合されると良い。
【００１５】
好ましくは、請求項３に記載の様に、前記嵌合孔は貫通孔であると良い。
【００１６】
好ましくは、請求項４に記載の様に、前記基部は、前記開口に圧入により嵌合されると良い。
【発明の効果】
【００１７】
請求項１に記載の発明によれば、ボタンの基部に被せられる装飾部材が、外装部材の外観意匠の一部を成す。この場合、樹脂製や金属製の装飾部材を用いることで、装飾部材に各種の装飾を施すことができ、ボタンへの装飾の自由度が向上する。その結果、ボタンにおける意匠性を高めることができる。
【００１８】
請求項２に記載の発明によれば、装飾部材が、基部に対して圧入代により係止される。これにより、装飾部材が基部からはずれにくくなり、いたずら等によって装飾部材が基部からはずされることを防止できる。
【００１９】
請求項３に記載の発明によれば、装飾部材の突出部が基部の嵌合孔に確実に嵌合されているか否かを目視によって確認できる。これにより、基部に対する装飾部材の組み付け不良を防止できる。
【００２０】
請求項４に記載の発明によれば、開口において、外装部材の内部が外部に対してシールされる。これにより、水分等が外装部材の外部から開口を経由して外装部材の内部に侵入することを防止でき、スイッチ本体が保護される。
【発明を実施するための最良の形態】
【００２１】
以下、本発明を実施するための最良の形態を、図面を基に説明する。なお、以下の実施形態においては、本発明に係るドアスイッチ１０（車両用スイッチ）を車両のアウトサイドハンドル２０（外装部材）に適用した例を説明する。
【００２２】
図１は、車両のドア８を示す斜視図である。車両のドア８を形成するアウタパネル９には、アウトサイドハンドル２０が取り付けられている。アウトサイドハンドル２０には、スイッチ１０が設けられている。アウトサイドハンドル２０は、スマートエントリーシステムを構築する一部品で、車両のユーザのドア解錠及び施錠意思の確認を可能としたものである。アウトサイドハンドル２０は、ドア８をボデー（図示なし）に対して開作動（閉作動）させるために、ドア８に対して傾動操作がなされる。
【００２３】
図２は、アウトサイドハンドル２０の縦断面図（図１におけるＩＩ−ＩＩ線に沿う断面図）、図３は、アウトサイドハンドル２０の正面図である。
【００２４】
アウトサイドハンドル２０は、車両の前後方向（図２及び図３示左右方向）に延びる樹脂製のハンドル本体２１と、ハンドル本体２１の車室外側（図２示上側）に被せられる樹脂製のカバー２２とから成る。このカバー２２は、アウトサイドハンドル２０の外形に一致し、アウトサイドハンドル２０の外観意匠を成している。
【００２５】
ハンドル本体２１には、車室外側に開口する凹状の収容部２３が設けられている。収容部２３には、ユーザの解錠意思を確認するための電子部品２４（センサ等）に加え、ユーザのドア施錠意思を確認するためのドアスイッチ１０が配設されている。
【００２６】
ドアスイッチ１０は、押しボタン式のもので、収容部２３に保持されるスイッチ本体１１と、スイッチ本体１１に連係される操作ボタン１２（ボタン）とから成る。操作ボタン１２は、カバー２２に設けられた開口２５に設けられている。この操作ボタン１２の押下にともなって、スイッチ本体１１が作動するようになっている。以下、操作ボタン１２の構造について、図４を参照して説明する。図４は、操作ボタン１２及びその周辺の構造を示す図である。
【００２７】
操作ボタン１２は、基部１３と、装飾プレート１４とを備えている。
【００２８】
基部１３は、ゴム材からなる。基部１３には、押圧部１３ａと、支持部１３ｂと、たわみ部１３ｃとが設けられている。
【００２９】
押圧部１３ａは、基部１３の中央部に設けられ、段付きのブロック状を成している。押圧部１３ａにおいて、車室外側（図４示上側）にあたる外側面１３ｄ（一側）は、カバー２２の開口２５に設けられ、車室内側（図４示下側）にあたる内側面１３ｅ（他側）は、上述したスイッチ本体１１に連係されている。また、押圧部１３ａには、３つの嵌合孔１３ｆが設けられている。嵌合孔１３ｆは、押圧部１３ａを外側面１３ｄから内側面１３ｅに貫通する貫通孔である。支持部１３ｂは、押圧部１３ａの周囲に設けられ、枠状を成している。支持部１３ｂは、カバー２２の開口２５を塞ぐように、車室内側からカバー２２に対して嵌着されている。つまり、基部１３は、カバー２２の開口２５に圧入により嵌合されている。たわみ部１３ｃは、押圧部１３ａと支持部１３ｂとの間に設けられている。たわみ部１３ｃは、自身を挟んで設けられる押圧部１３ａ、及び支持部１３ｂに対して、肉薄に形成されている。
【００３０】
装飾プレート１４（装飾部材）は、プレート状を呈し、基部１３の押圧部１３ａの形状に対応して形成されている。装飾プレート１４は、基部１３の押圧部１３ａにおける外側面１３ｄに被せられている。この場合、装飾プレート１４に設けられた３つの突出部１４ａが、基部１３の押圧部１３ａに設けられた嵌合孔１３ｆに圧入によりそれぞれ嵌合される。これにより、装飾プレート１４が、基部１３に対して係止される。
【００３１】
基部１３に係止された装飾プレート１４は、カバー２２の開口２５を介して、アウトサイドハンドルの外部２６（外装部材の外部）に面した状態となっている。つまり、装飾プレート１４は、アウトサイドハンドル２０の外観意匠の一部を成す構造となっている。
【００３２】
装飾プレート１４としては、例えば、樹脂製や金属製のものなどを用いることが可能である。例えば、カバー２２と同じ樹脂材料で装飾プレート１４を形成すれば、塗装を施した時の色調、質感等に関して、カバー２２と装飾プレート１４との間で調和がとれ、アウトサイドハンドル２０の外観意匠も統一感のあるものとなる。また、アルミ等の金属材料で装飾プレート１４を形成すれば、塗装を施した時に特有な色調が得られ、且つ、塗装以外の装飾（ヘアライン加工、サテン調仕上げ等）も可能となり、操作ボタン１２への装飾を多様なものとできる。
【００３３】
なお、上述した装飾プレート１４の代わりに、図５に示す様な装飾シート１４’を適用することも可能である。この装飾シート１４’は、柔軟性を有する樹脂製のもので、表面への印刷等も可能となっている。この装飾シート１４’は、基部１３の押圧部１３ａの外側面１３ｄに粘着テープ等を用いて貼り付けられる。この場合、模様等が印刷された装飾シート１４’を用いることで、操作ボタン１２への装飾を多様なものとできる。
【００３４】
以下、ドアスイッチ１０の作動を、図４を参照して簡単に説明する。
【００３５】
車両のユーザにより、アウトサイドハンドルの外部２６から車室内方向（図４示下方）に操作ボタン１２が押されると、車室内方向に作用する力が、押圧部１３ａに作用する。これを受けて、肉薄のたわみ部１３ｃがたわみ変形することにより、押圧部１３ａが、カバー２２に嵌着された支持部１３ｂに対して車室内方向に変位する。この押圧部１３ａの変位により、スイッチ本体１１の作動部１１ａが同方向に押され、スイッチ本体１１が作動する。これにより、ユーザのドア施錠意思の確認が成される。
【００３６】
以上説明した様に、本発明のドアスイッチ１０によれば、操作ボタン１２の基部１３の外側面１３ｄに被せられる装飾プレート１４が、アウトサイドハンドル２０の外観意匠の一部を成す。この場合、樹脂製や金属製の装飾プレート１４を用いることで、装飾プレート１４に各種の装飾を施すことができ、操作ボタン１２への装飾の自由度が向上する。その結果、操作ボタン１２における意匠性を高めることができる。
【００３７】
また、本発明によれば、装飾プレート１４が、基部１３に対して圧入代により係止される。これにより、装飾プレート１４が基部１３からはずれにくくなり、いたずら等によって装飾プレート１４が基部１３からはずされることを防止できる。
【００３８】
また、本発明によれば、装飾プレート１４の突出部１４ａが基部１３の嵌合孔１３ｆに確実に嵌合されているか否かを目視によって確認できる。これにより、基部１３に対する装飾プレート１４の組み付け不良を防止できる。
【００３９】
また、本発明によれば、カバー２２の開口２５において、アウトサイドハンドル２０の内部が外部に対してシールされる。これにより、水分等がアウトサイドハンドル２０の外部から開口２５を経由してアウトサイドハンドル２０の内部に侵入することを防止でき、アウトサイドハンドル２０の内部に保持されるスイッチ本体１１が保護される。
【図面の簡単な説明】
【００４０】
【図１】車両のドア８を示す斜視図。
【図２】アウトサイドハンドル２０の縦断面図（図１におけるＩＩ−ＩＩ線に沿う断面図）。
【図３】アウトサイドハンドル２０の正面図。
【図４】操作ボタン１２及びその周辺の構造を示す図。
【図５】操作ボタン１２の他の実施形態を示す図。
【図６】公知のスイッチの構造を示す図。
【符号の説明】
【００４１】
１０  ドアスイッチ（車両用スイッチ）
１１  スイッチ本体
１２  操作ボタン（ボタン）
１３  基部
１３ｄ  外側面（一側）
１３ｅ  内側面（他側）
１３ｆ  嵌合孔
１４  装飾プレート（装飾部材）
１４ａ  突出部
１４’  装飾シート（装飾部材）
２０  アウトサイドハンドル（外装部材）
２５  開口
２６  アウトサイドハンドルの外部（外装部材の外部）
【図１】
2006100013.tif 000003
【図２】
2006100013.tif 000004
【図３】
2006100013.tif 000005
【図４】
2006100013.tif 000006
【図５】
2006100013.tif 000007
【図６】
2006100013.tif 000008